(57)【特許請求の範囲】
【請求項１】
印刷指示端末と、前記印刷指示端末から印刷指示される印刷データを印刷する印刷手段を有する印刷装置とを備え、
前記印刷指示端末は、
操作者から印刷に用いる用紙の属性を含む印刷設定情報を受け付ける設定情報受付手段と、
前記設定情報受付手段で受け付けた印刷設定情報に対応する用紙を前記印刷装置の給紙手段に装填する装填方法を、前記操作者に表示する装填方法表示手段と、
前記設定情報受付手段で受け付けた前記印刷設定情報を前記印刷装置に送信する送信手段と
を具備し、
前記印刷装置は、
前記送信手段により送信された前記印刷設定情報を受信し、前記印刷設定した用紙が前記給紙手段に装填されると、前記印刷指示端末から印刷指示された印刷データを当該印刷設定情報に基づき前記印刷手段で印刷させるよう制御する第１の印刷制御手段と、
前記操作者から前記印刷設定情報を受け付ける受付手段と、
前記受付手段で受け付けた印刷設定情報に基づき前記印刷データを前記印刷手段で印刷させるよう制御する第２の印刷制御手段と
を具備し、
前記送信手段で送信された前記印刷設定情報を受け付けた場合には、前記第１の印刷制御手段による印刷制御を、前記第２の印刷制御手段による印刷制御よりも優先し、
前記印刷指示端末は、
前記印刷を取り消す指示を受け付ける取消指示受付手段と、
前記送信手段による前記印刷設定情報の送信の後に前記取消指示受付手段による取り消す指示を受け付けた場合には、取消通知を前記印刷装置に送信する取消通知送信手段と
を更に具備し、
前記印刷装置は、
前記取消通知を受け付けた場合には、前記第１の印刷制御手段による印刷制御の優先を解除する
画像形成システム。
【請求項２】
印刷指示端末と、前記印刷指示端末から印刷指示される印刷データを印刷する印刷手段を有する印刷装置とを備え、
前記印刷指示端末は、
操作者から印刷に用いる用紙の属性を含む印刷設定情報を受け付ける設定情報受付手段と、
前記設定情報受付手段で受け付けた印刷設定情報に対応する用紙を前記印刷装置の給紙手段に装填する装填方法を、前記操作者に表示する装填方法表示手段と、
前記設定情報受付手段で受け付けた前記印刷設定情報を前記印刷装置に送信する送信手段と
を具備し、
前記印刷装置は、
前記送信手段により送信された前記印刷設定情報を受信し、前記印刷設定した用紙が前記給紙手段に装填されると、前記印刷指示端末から印刷指示された印刷データを当該印刷設定情報に基づき前記印刷手段で印刷させるよう制御する第１の印刷制御手段と、
前記操作者から前記印刷設定情報を受け付ける受付手段と、
前記受付手段で受け付けた印刷設定情報に基づき前記印刷データを前記印刷手段で印刷させるよう制御する第２の印刷制御手段と
を具備し、
前記送信手段で送信された前記印刷設定情報を受け付けた場合には、前記第１の印刷制御手段による印刷制御を、前記第２の印刷制御手段による印刷制御よりも優先し、
前記印刷装置は、
前記用紙が前記給紙手段に装填されたことを検知する検知手段
を更に備え、
前記送信手段で送信された前記印刷設定情報を受け付けると、所定の時間内に前記検知手段により前記用紙の装填を検知した場合に、前記第１の印刷制御手段による印刷制御を行う
画像形成システム。
【請求項３】
印刷指示端末と、前記印刷指示端末から印刷指示される印刷データを印刷する印刷手段を有する印刷装置とを備え、
前記印刷指示端末は、
操作者から印刷に用いる用紙の属性を含む印刷設定情報を受け付ける設定情報受付手段と、
前記設定情報受付手段で受け付けた印刷設定情報に対応する用紙を前記印刷装置の給紙手段に装填する装填方法を、前記操作者に表示する装填方法表示手段と、
前記設定情報受付手段で受け付けた前記印刷設定情報を前記印刷装置に送信する送信手段と
を具備し、
前記印刷装置は、
前記送信手段により送信された前記印刷設定情報を受信し、前記印刷設定した用紙が前記給紙手段に装填されると、前記印刷指示端末から印刷指示された印刷データを当該印刷設定情報に基づき前記印刷手段で印刷させるよう制御する第１の印刷制御手段と、
前記操作者から前記印刷設定情報を受け付ける受付手段と、
前記受付手段で受け付けた印刷設定情報に基づき前記印刷データを前記印刷手段で印刷させるよう制御する第２の印刷制御手段と
を具備し、
前記送信手段で送信された前記印刷設定情報を受け付けた場合には、前記第１の印刷制御手段による印刷制御を、前記第２の印刷制御手段による印刷制御よりも優先し、
前記印刷装置は、
前記用紙が前記給紙手段に装填されたことを検知する検知手段
を更に備え、
前記送信手段で送信された前記印刷設定情報を受け付けた後に所定の時間内に前記検知手段により前記用紙の装填を検知しない場合には、その後に前記受付手段で受け付ける前記印刷設定情報に基づき前記第２の印刷制御手段による印刷制御を行う
画像形成システム。
【発明の詳細な説明】
【技術分野】
【０００１】
本発明は、画像形成システムおよび印刷指示端末に関する。
【背景技術】
【０００２】
従来より、印刷装置で印刷が行われる際には、印刷装置に用紙のサイズ等の情報を設定する必要があった。
【０００３】
特許文献１には、印刷条件の設定を、設定項目毎に順次設定ダイアログを表示して、簡単かつ容易に設定することのできる文書印刷処理システムが提供されている。
【０００４】
特許文献２には、パラメータ設定をコンピュータ側で行い、印刷設定情報をデバイス側に転送し、デバイス側はこの印刷設定情報に従って原稿を処理するドキュメント処理装置およびその制御方法が提案されている。
【先行技術文献】
【特許文献】
【０００５】
【特許文献１】特開２００２−１４９３６５号公報
【特許文献２】特開平１０−１５０５２１号公報
【発明の概要】
【発明が解決しようとする課題】
【０００６】
簡易なタイプのプリンタでは、用紙サイズを検出するセンサを備えていない場合もある。
【０００７】
用紙サイズセンサを備えていないプリンタに印刷指示する際、設定する用紙の印刷設定情報に基づいて用紙セット方法をユーザに知らせる画像形成システムおよび印刷指示端末を提供することを目的とする。
【課題を解決するための手段】
【００１４】
上記目的を達成するために、請求項１の発明は、印刷指示端末と、前記印刷指示端末から印刷指示される印刷データを印刷する印刷手段を有する印刷装置とを備え、前記印刷指示端末は、操作者から印刷に用いる用紙の属性を含む印刷設定情報を受け付ける設定情報受付手段と、前記設定情報受付手段で受け付けた印刷設定情報に対応する用紙を前記印刷装置の給紙手段に装填する装填方法を、前記操作者に表示する装填方法表示手段と、前記設定情報受付手段で受け付けた前記印刷設定情報を前記印刷装置に送信する送信手段とを具備し、前記印刷装置は、前記送信手段により送信された前記印刷設定情報を受信し、前記印刷設定した用紙が前記給紙手段に装填されると、前記印刷指示端末から印刷指示された印刷データを当該印刷設定情報に基づき前記印刷手段で印刷させるよう制御する第１の印刷制御手段と、前記操作者から前記印刷設定情報を受け付ける受付手段と、前記受付手段で受け付けた印刷設定情報に基づき前記印刷データを前記印刷手段で印刷させるよう制御する第２の印刷制御手段とを具備し、前記送信手段で送信された前記印刷設定情報を受け付けた場合には、前記第１の印刷制御手段による印刷制御を、前記第２の印刷制御手段による印刷制御よりも優先し、前記印刷指示端末は、前記印刷を取り消す指示を受け付ける取消指示受付手段と、前記送信手段による前記印刷設定情報の送信の後に前記取消指示受付手段による取り消す指示を受け付けた場合には、取消通知を前記印刷装置に送信する取消通知送信手段とを更に具備し、前記印刷装置は、前記取消通知を受け付けた場合には、前記第１の印刷制御手段による印刷制御の優先を解除するように構成される。
【００１５】
また、請求項２の発明は、印刷指示端末と、前記印刷指示端末から印刷指示される印刷データを印刷する印刷手段を有する印刷装置とを備え、前記印刷指示端末は、操作者から印刷に用いる用紙の属性を含む印刷設定情報を受け付ける設定情報受付手段と、前記設定情報受付手段で受け付けた印刷設定情報に対応する用紙を前記印刷装置の給紙手段に装填する装填方法を、前記操作者に表示する装填方法表示手段と、前記設定情報受付手段で受け付けた前記印刷設定情報を前記印刷装置に送信する送信手段とを具備し、前記印刷装置は、前記送信手段により送信された前記印刷設定情報を受信し、前記印刷設定した用紙が前記給紙手段に装填されると、前記印刷指示端末から印刷指示された印刷データを当該印刷設定情報に基づき前記印刷手段で印刷させるよう制御する第１の印刷制御手段と、前記操作者から前記印刷設定情報を受け付ける受付手段と、前記受付手段で受け付けた印刷設定情報に基づき前記印刷データを前記印刷手段で印刷させるよう制御する第２の印刷制御手段とを具備し、前記送信手段で送信された前記印刷設定情報を受け付けた場合には、前記第１の印刷制御手段による印刷制御を、前記第２の印刷制御手段による印刷制御よりも優先し、前記印刷装置は、前記用紙が前記給紙手段に装填されたことを検知する検知手段を更に備え、前記送信手段で送信された前記印刷設定情報を受け付けると、所定の時間内に前記検知手段により前記用紙の装填を検知した場合に、前記第１の印刷制御手段による印刷制御を行うように構成される。
【００１６】
また、請求項３の発明は、印刷指示端末と、前記印刷指示端末から印刷指示される印刷データを印刷する印刷手段を有する印刷装置とを備え、前記印刷指示端末は、操作者から印刷に用いる用紙の属性を含む印刷設定情報を受け付ける設定情報受付手段と、前記設定情報受付手段で受け付けた印刷設定情報に対応する用紙を前記印刷装置の給紙手段に装填する装填方法を、前記操作者に表示する装填方法表示手段と、前記設定情報受付手段で受け付けた前記印刷設定情報を前記印刷装置に送信する送信手段とを具備し、前記印刷装置は、前記送信手段により送信された前記印刷設定情報を受信し、前記印刷設定した用紙が前記給紙手段に装填されると、前記印刷指示端末から印刷指示された印刷データを当該印刷設定情報に基づき前記印刷手段で印刷させるよう制御する第１の印刷制御手段と、前記操作者から前記印刷設定情報を受け付ける受付手段と、前記受付手段で受け付けた印刷設定情報に基づき前記印刷データを前記印刷手段で印刷させるよう制御する第２の印刷制御手段とを具備し、前記送信手段で送信された前記印刷設定情報を受け付けた場合には、前記第１の印刷制御手段による印刷制御を、前記第２の印刷制御手段による印刷制御よりも優先し、前記印刷装置は、前記用紙が前記給紙手段に装填されたことを検知する検知手段を更に備え、前記送信手段で送信された前記印刷設定情報を受け付けた後に所定の時間内に前記検知手段により前記用紙の装填を検知しない場合には、その後に前記受付手段で受け付ける前記印刷設定情報に基づき前記第２の印刷制御手段による印刷制御を行うように構成される。
【発明の効果】
【００２４】
請求項１の発明によれば、印刷装置に装填する用紙の装填方法を、操作者が容易に知ることができるという効果を奏する。
【００２５】
請求項２の発明によれば、印刷装置に装填する用紙の装填方法を、操作者が容易に知ることができるという効果を奏する。
【００２６】
請求項３の発明によれば、印刷装置に装填する用紙の装填方法を、操作者が容易に知ることができるという効果を奏する。
【図面の簡単な説明】
【００２８】
【図１】画像処理システム１の構成を示す模式図。
【図２】パーソナルコンピュータ１００で行われる処理を示すフローチャート。
【図３】印刷指示画面３０１や通常ＵＩ画面１２３を示す画面構成図。
【図４】簡易設定ウィザード１２４中の画面の一例を示す画面構成図
【図５】簡易設定ウィザード１２４中の画面の一例を示す画面構成図
【図６】プリンタ２００の処理を示すフローチャート。
【図７】プリンタ２００の処理を示すフローチャート。
【発明を実施するための形態】
【００２９】
以下、本発明の実施例について添付図面を参照して詳細に説明する。
【００３０】
まず、本発明の画像形成システムおよび印刷指示端末に係る画像処理システム１について図１を参照して説明を行う。
【００３１】
図１は、画像処理システム１の構成を示す模式図である。
【００３２】
画像処理システム１は、図１に示すように、印刷指示を行うパーソナルコンピュータ１００とプリンタ２００とが通信回線２を介して接続されて構成される。
【００３３】
パーソナルコンピュータ１００は、図示しないＣＰＵ（Central Processing Unit）、ＲＯＭ（Read Only Memory）、ＲＡＭ（Random Access Memory）、ＨＤＤ（Hard Disk Drive）キーボード、モニタを備えたコンピュータである。
【００３４】
パーソナルコンピュータ１００は、その機能的な要素として、印刷機能を有する文書作成ソフトであるアプリケーション１１０、アプリケーション１１０で作成された文書のプリントデータを生成するプリンタドライバ１２０、通信回線２を介してプリンタ２００と情報を授受するインタフェース１３０とを有する。
【００３５】
プリンタドライバ１２０は、描画コマンド解析部１２１、プリントデータメモリ１２２、通常ユーザインタフェース画面（以下と図面と共に、「通常ＵＩ画面」と記す。）１２３、簡易設定ウィザード１２４、設定情報保存メモリ１２５で構成される。
【００３６】
描画コマンド解析部１２１は、アプリケーション１１０からの描画コマンドを解析してプリントデータに加工する。
【００３７】
プリントデータメモリ１２２は、プリントデータ記憶する。
【００３８】
通常ＵＩ画面１２３は、ユーザの意図する印刷設定を可能にするユーザインタフェース画面を提供する。
【００３９】
簡易設定ウィザード１２４は、用紙サイズと用紙種類とを簡易に設定し、設定された用紙のプリンタ２００への用紙セット方法を図入りで分かり易くユーザに説明する。
【００４０】
設定情報保存メモリ１２５は、パーソナルコンピュータ１００に備えられる図示しないＲＡＭを利用して、簡易設定ウィザード１２４で設定された印刷設定情報を記憶する。
【００４１】
プリンタ２００は、インタフェース２１０、レンダリング部２２０、制御部２３０、プリンタユーザインタフェース（以下と図面と共に、「プリンタＵＩ」と記す。）２４０、印刷部２５０を有する。
【００４２】
インタフェース２１０は、パーソナルコンピュータ１００とプリンタ２００とを接続するプリンタ側のインタフェースであり、パーソナルコンピュータ１００から送られるデータを受信する。
【００４３】
レンダリング部２２０は、プリントデータを画像データに変換する。
【００４４】
制御部２３０は、プリンタ２００を統括的に制御する。
【００４５】
プリンタＵＩ２４０は、ユーザにメッセージ等を表示し、また、ユーザからの入力を受け付ける。
【００４６】
印刷部２５０は、レンダリング部２２０より画像データを受け付け、用紙に印刷する。
【００４７】
印刷部２５０は、給紙トレイ２６０、描画部２７０、排出トレイ２８０を有する。
【００４８】
給紙トレイ２６０は、内部に格納された用紙を給紙して描画部に用紙を搬送する。そして、給紙トレイ２６０は、用紙センサ２６１とトレイ設定情報２６２を持つ。
【００４９】
用紙センサ２６１は、給紙トレイ２６０に用紙が格納されているか否かを判別するセンサである。
【００５０】
用紙センサ２６１には、給紙トレイ２６０に格納されている用紙のサイズを検出する機能がない。それで、プリンタ２００には、給紙トレイ２６０に格納されている用紙のサイズや用紙種類を検出するセンサがないので、パーソナルコンピュータ１００から送信される情報に基づき印刷する用紙のサイズや用紙種類の設定を行う。
【００５１】
トレイ設定情報２６２は、給紙トレイ２６０に格納されている用紙の用紙サイズや用紙種類の用紙属性を含んだ印刷設定情報を保持する。
【００５２】
トレイ設定情報２６２が保持する用紙サイズや用紙種類の用紙属性を含んだ印刷設定情報は、制御部２３０によって制御される。
【００５３】
トレイ設定情報２６２は、書き換え可能なメモリによって構成される。
【００５４】
描画部２７０は、搬送されてきた用紙に画像を描画する。描画部２７０の描画方式は、ゼログラフィ方式やインクジェット方式などであってよく限定されない。
【００５５】
排出トレイ２８０は、描画部２７０で印刷された結果の用紙が排出される。
【００５６】
次に、パーソナルコンピュータ１００で行われる処理について図２を参照して説明を行う。
【００５７】
図２は、パーソナルコンピュータ１００で行われる処理について示したフローチャートである。
【００５８】
ユーザは、パーソナルコンピュータ１００より、印刷機能を持つアプリケーション１１０から、図３（ａ）に示すように、アプリケーション１１０の印刷指示画面３０１を開く。
【００５９】
図３（ａ）はアプリケーション１１０の印刷指示画面３０１を示す画面構成図である。
【００６０】
印刷指示画面３０１には、図３（ａ）に示すように、プリンタドライバを選択するプリンタドライバ選択欄３０２、プリンタドライバ選択欄３０２で選択されたプリンタドライバの設定画面を開くプロパティボタン３０３、印刷を指示する印刷ボタン３０４、印刷をキャンセルするキャンセルボタン３０５が表示される。
【００６１】
印刷指示画面３０１が表示されると、ユーザは、図３（ａ）に示すように、所望する印刷先となるプリンタのプリンタドライバをプリンタドライバ選択欄３０２より選択する。
【００６２】
そして、ユーザは、図３（ａ）に示すように、プリンタドライバ選択欄３０２でプリンタドライバを選択した後に、プロパティボタン３０３を押下する。
【００６３】
ここでは、プリンタドライバ選択欄３０２でプリンタ２００が選択されたものとして以下説明を行う。
【００６４】
プロパティボタン３０３が押下されると、図３（ｂ）に示すように、プリンタドライバ選択欄３０２で選択されたプリンタ２００の設定画面である通常ＵＩ画面１２３が表示される。
【００６５】
図３（ｂ）は通常ＵＩ画面１２３を示す画面構成図である。
【００６６】
通常ＵＩ画面１２３には、図３（ｂ）に示すように、ユーザの意図する印刷設定（用紙の向き、用紙サイズ、用紙種類等）を可能にする設定欄と、簡易設定ウィザード起動ボタン３０６、設定を適用させるＯＫボタン３０７が表示される。
【００６７】
通常ＵＩ画面１２３より簡易設定ウィザード起動ボタン３０６が押下されることにより、簡易設定ウィザード１２４が起動される。
【００６８】
簡易設定ウィザード１２４では、その中で設定される用紙をプリンタ２００にセット（装填）する際に便利な用紙セット説明画面の表示が含まれている。
【００６９】
簡易設定ウィザード１２４が起動されると、図２に示すように、パーソナルコンピュータ１００の図示しないモニタに、設定画面１（４２０）が表示される（図２のステップ２０１）。
【００７０】
ここで、設定画面１（４２０）について図４（ａ）を参照して説明する。
【００７１】
図４（ａ）は簡易設定ウィザード１２４の中の設定画面１（４２０）を示す画面構成図である。
【００７２】
設定画面１（４２０）では、通常ＵＩ画面１２３で設定される印刷設定（デフォルトで設定される内容を含む）からの変更がユーザから多く望まれる項目であり、プリンタ２００への用紙セット方法に影響を与える項目（例えば、ここでは用紙サイズの設定を例にして説明する。）の設定が可能である。
【００７３】
設定画面１（４２０）では、図４（ａ）に示すように、用紙サイズの設定が可能な用紙サイズ設定欄４０１、設定画面１（４２０）の設定内容をキャンセルして簡易設定ウィザード１２４を終了させるキャンセルボタン４０２、画面を次の設定画面へ移行させる次へボタン４０３が表示される。
【００７４】
設定画面１（４２０）の用紙サイズ設定欄４０１では、通常ＵＩ画面１２３で設定されていた印刷設定（デフォルト設定を含む）が設定画面１（４２０）の表示時にデフォルトで表示されるが、ユーザは、用紙サイズ設定欄４０１より所望の用紙サイズの選択を行うことができる（ステップ２０２）。
【００７５】
ユーザは、図４（ａ）に示すように、設定画面１（４２０）より「はがき」を選択する。
【００７６】
ステップ２０２において用紙サイズ設定欄４０１で選択された内容は、パーソナルコンピュータ１００の図示しないＲＡＭに記憶される。
【００７７】
また、ユーザにより設定画面１（４２０）からキャンセルボタン４０２が押下されると、ユーザが用紙サイズ設定欄４０１でステップ２０２において選択した内容は適用されずに、簡易設定ウィザード１２４は終了する（図２のステップ２０３でＹＥＳ）。
【００７８】
ユーザが設定画面１（４２０）よりキャンセルボタン４０２を押下せずに（ステップ２０３でＮＯ）次へボタン４０３を押下すると（ステップ２０４でＹＥＳ）、設定画面１（４２０）の換わりに図４（ｂ）に示す設定画面２（４３０）がパーソナルコンピュータ１００の図示しないモニタに表示される（ステップ２０５）。
【００７９】
図４（ｂ）は設定画面２（４３０）を示す画面構成図である。
【００８０】
設定画面２（４３０）では、通常ＵＩ画面１２３で設定される印刷設定（デフォルトで設定される内容を含む）からの変更がユーザから多く望まれる項目であり、プリンタ２００への用紙セット方法に影響を与える項目（例えば、ここでは用紙種類の設定を例にして説明する。）の設定が可能である。
【００８１】
設定画面２（４３０）では、図４（ｂ）に示すように、用紙種類の設定が可能な用紙種類設定欄４０４、設定画面２（４３０）の換わりに設定画面１（４２０）を表示させるようにして設定画面１（４２０）に戻る為の戻るボタン４０５、設定画面１（４２０）や設定画面２（４３０）で選択された内容をキャンセルして簡易設定ウィザード１２４を終了させるキャンセルボタン４０６、画面を用紙セット説明画面に移行させる次へボタン４０７が表示される。
【００８２】
設定画面２（４３０）の用紙種類設定欄４０４では、通常ＵＩ画面１２３で設定されていた印刷設定（デフォルト設定を含む）が設定画面２（４３０）の表示時にデフォルトで表示されるが、ユーザは、用紙種類設定欄４０４より所望の用紙種類の選択を行うことができる（ステップ２０６）。
【００８３】
ユーザは、図４（ｂ）に示すように、設定画面２（４３０）より「封筒」を選択する。
【００８４】
ステップ２０６において用紙種類設定欄４０４で選択された内容は、パーソナルコンピュータ１００の図示しないＲＡＭに記憶される。
【００８５】
また、ユーザは、設定画面２（４３０）より戻るボタン４０５を押下すると（ステップ２０７でＹＥＳ）、設定画面２（４３０）の換わりにステップ２０２で選択された内容がデフォルトで選択さているように表示される設定画面１（４２０）が表示される（結合子Ａを介してステップ２０１へ）。
【００８６】
また、ユーザにより設定画面２（４３０）からキャンセルボタン４０６が押下されると（ステップ２０８でＹＥＳ）、ユーザが設定画面１（４２０）の用紙サイズ設定欄４０１で選択した内容と設定画面２（４３０）の用紙種類設定欄４０４で選択した内容とが適用されずに簡易設定ウィザード１２４は終了する。
【００８７】
ユーザが設定画面２（４３０）より戻るボタン４０５を押下せずに且つキャンセルボタン４０６を押下せずに（ステップ２０８でＮＯ）次へボタン４０７を押下すると（ステップ２０９でＹＥＳ）、設定画面２（４３０）の換わりに図４（ｃ）に示す用紙セット説明画面（４４０）が表示される（ステップ２１０）。
【００８８】
図４（ｃ）は用紙セット説明画面の一例である用紙セット説明画面（４４０）を示す画面構成図である。
【００８９】
そして、用紙セット説明画面（４４０）が表示されると、ステップ２０２で設定画面１（４２０）の用紙サイズ設定欄４０１より選択された内容であってパーソナルコンピュータ１００の図示しないＲＡＭに記憶された内容と、ステップ２０６で設定画面２（４３０）の用紙種類設定欄４０４で選択された内容であってパーソナルコンピュータ１００の図示しないＲＡＭに記憶された内容とが印刷設定情報としてプリンタ２００に送信される（ステップ２１１）。
【００９０】
用紙セット説明画面（４４０）では、ステップ２０２で設定画面１（４２０）の用紙サイズ設定欄４０１より選択された内容であってパーソナルコンピュータ１００の図示しないＲＡＭに記憶された内容と、ステップ２０６で設定画面２（４３０）の用紙種類設定欄４０４で選択された内容であってパーソナルコンピュータ１００の図示しないＲＡＭに記憶された内容とに基づいて決定されるプリンタ２００への用紙セット方法を説明する内容が表示される。
【００９１】
用紙セット説明画面（４４０）では、図４（ｃ）に示すように、プリンタ２００への用紙セット方法の説明の為の図（４０８）および文章（４０９）、また、用紙セット説明画面（４４０）の換わりに設定画面２（４３０）を表示させるようにして設定画面２（４３０）に戻る為の戻るボタン４１０、設定画面１（４２０）や設定画面２（４３０）で選択された内容をキャンセルして簡易設定ウィザード１２４を終了させるキャンセルボタン４１１、設定画面１（４２０）や設定画面２（４３０）で選択された内容を設定情報保存メモリ１２５に記憶させて簡易設定ウィザード１２４を終了させる完了ボタン４１２が表示される。
【００９２】
プリンタ２００への用紙セット方法の説明の為の図（４０８）および文章（４０９）では、設定画面１（４２０）で選択された用紙サイズであり設定画面２（４３０）で選択された用紙種類である用紙を、プリンタ２００の給紙トレイ２６０へどのようにセット（装填）するべきかがユーザによって分かりやすい形で説明されている。
【００９３】
プリンタ２００への用紙セット方法の説明の為の図（４０８）は、例えば、図４（ｃ）に示すように、設定画面１（４２０）で選択された用紙サイズであり設定画面２（４３０）で選択された用紙種類である用紙となる封筒が、プリンタ２００の給紙トレイ２６０へセットされる様子を示す図である。
【００９４】
また、プリンタ２００への用紙セット方法の説明の為の図（４０８）は、例えば、図４（ｃ）に示すように、設定画面１（４２０）で選択された用紙サイズであり設定画面２（４３０）で選択された用紙種類である用紙となる封筒が、プリンタ２００の給紙トレイ２６０へセットされる向きや、その封筒のフラップの開閉や、セットされる給紙トレイ２６０の位置などを表示する図である。
【００９５】
また、プリンタ２００への用紙セット方法の説明の為の文章（４０９）は、例えば、図４（ｃ）に示すように、「印刷面（宛名側）を下にして、フラップを閉じて、フラップ部分が右側になるように置いてください。」である。
【００９６】
このように、プリンタ２００への用紙セット方法の説明の為の文章（４０９）では、例えば、図４（ｃ）に示すように、設定画面１（４２０）で選択された用紙サイズであり設定画面２（４３０）で選択された用紙種類である用紙を印刷面を上にしてセットするのか或いは下にしてセットするのか（用紙の表裏の向き）、また、その用紙が封筒などの特殊な用紙である場合には特殊な用紙のセット方法（封筒の場合にはフラップを閉じてセットするのか或いは開けてセットするのか）や、その用紙を給紙トレイ２６０にセットする際の用紙の用紙搬送方向に対する前後の向き（例えば封筒の場合には、（用紙の表裏の向きを変化させない状態で）フラップが用紙搬送方向に対して右側に位置するセットか或いは左側に位置するセットか）等が説明される。
【００９７】
このため、用紙セット方法の説明の為の図（４０８）および文章（４０９）によって、ユーザは、設定画面１（４２０）と設定画面２（４３０）とで選択した用紙をプリンタ２００にセットする用紙セット方法を確実に知ることができる。
【００９８】
用紙セット説明画面４４０からユーザが戻るボタン４１０を押下した場合には（ステップ２１２でＹＥＳ）、パーソナルコンピュータ１００からプリンタ２００に対してインタフェース１３０を通じてキャンセル通知が送信され（ステップ２１６）、用紙セット説明画面４４０の換わりにステップ２０６で選択された内容がデフォルトで選択されているように表示される設定画面２（４３０）が表示される表示処理が行われる（結合子Ｂを介してステップ２０５へ）。
【００９９】
また、用紙セット説明画面４４０から戻るボタン４１０が押下されずに（ステップ２１２でＮＯ）キャンセルボタン４１１が押下された場合には（ステップ２１３でＹＥＳ）、パーソナルコンピュータ１００からプリンタ２００に対してインタフェース１３０を通じてキャンセル通知が送信され（ステップ２１７）、ユーザが設定画面１（４２０）で選択した内容と設定画面２（４３０）で選択した内容とが適用されずに簡易設定ウィザード１２４は終了する。
【０１００】
また、用紙セット説明画面４４０から戻るボタン４１０が押下されずに（ステップ２１２でＮＯ）キャンセルボタン４１１が押下されずに（ステップ２１３でＮＯ）完了ボタン４１２が押下された場合には（ステップ２１４でＹＥＳ）、ステップ２０２で設定画面１（４２０）の用紙サイズ設定欄４０１より選択された内容であってパーソナルコンピュータ１００の図示しないＲＡＭに記憶された内容と、ステップ２０６で設定画面２（４３０）の用紙種類設定欄４０４で選択された内容であってパーソナルコンピュータ１００の図示しないＲＡＭに記憶された内容とが設定情報保存メモリ１２５に印刷設定情報として記憶する（ステップ２１５）。
【０１０１】
ステップ２１５で印刷設定情報が設定情報保存メモリ１２５に記憶される処理が行われると、簡易設定ウィザード１２４は終了する。
【０１０２】
簡易設定ウィザード１２４が終了するとパーソナルコンピュータ１００の図示しないモニタには通常ＵＩ画面１２３が表示されているので、ユーザはＯＫボタン３０７を押下して印刷設定を適用させ、通常ＵＩ画面１２３が閉じられる。
【０１０３】
通常ＵＩ画面１２３が閉じられるとパーソナルコンピュータ１００の図示しないモニタには印刷指示画面３０１が表示されているので、ユーザは印刷ボタン３０４を押下して印刷を指示する。
【０１０４】
アプリケーション１１０の印刷指示画面３０１より印刷指示がされると（印刷ボタン３０４の押下）、アプリケーション１１０で作成された文章を印刷させる為の描画コマンドが、アプリケーション１１０からプリンタドライバ１２０に送られる。
【０１０５】
プリンタドライバ１２０の描画コマンド解析部１２１は送られた描画コマンドを解析してプリントデータに加工してプリントデータメモリ１２２に格納する。
【０１０６】
さらに、プリンタドライバ１２０では設定情報保存メモリ１２５に記憶される印刷設定情報がプリントデータに付加される。
【０１０７】
プリントデータは、インタフェース１３０を通じてプリンタ２００に送信される。
【０１０８】
次に、  先に説明した設定画面１（４２０）、設定画面２（４３０）、用紙セット説明画面（４４０）の別の例として、設定画面１（５１０）、設定画面２（５２０）、用紙セット説明画面（５３０）を図５を参照して説明する。
【０１０９】
図５は、簡易設定ウィザード起動ボタン３０６が押下されて表示される画面を示す画面構成図であり、図５（ａ）は設定画面１（５１０）を示す画面構成図であり、図５（ｂ）２（５２０）を示す画面構成図であり、図５（ｃ）は用紙セット説明画面の一例である用紙セット説明画面（５３０）を示す画面構成図である。
【０１１０】
パーソナルコンピュータ１００での処理において、ステップ２０１で、図５（ａ）に示す設定画面１（５１０）が表示される。
【０１１１】
ユーザは、図５（ａ）に示すように、設定画面１（５１０）より「はがき」を選択する。
【０１１２】
そして、ステップ２０５で、図５（ｂ）に示す設定画面２（５２０）が表示される。
【０１１３】
ユーザは、図５（ｂ）に示すように、設定画面２（５２０）より「年賀状」を選択する。
【０１１４】
そして、ステップ２１０で、図５（ｃ）に示すように用紙セット説明画面（５３０）が表示される。
【０１１５】
このように、用紙サイズが「はがき」、用紙種類が「年賀状」が選択された場合には、用紙セット説明画面（５３０）でのプリンタ２００への用紙セット方法の説明の為の図（５３１）および文章（５３２）が、選択された内容に応じて表示される。
【０１１６】
すなわち、用紙セット方法の説明の為の図（５３１）には、用紙サイズが「はがき」で用紙種類が「年賀状」をセットする様子をユーザに分かり易く示す図が表示される。
【０１１７】
また、用紙セット方法の説明の為の文章（５３２）には、用紙サイズが「はがき」で用紙種類が「年賀状」をセットする方法をユーザに分かり易く説明する文章が表示される。  用紙セット方法の説明の為の文章（５３２）は、例えば、「印刷面（宛名側）を下にして、郵便番号枠が用紙搬送方向奥側になるように置いて下さい。」というように、用紙の印刷面のセット方向と用紙の郵便番号枠のセット方向とについてユーザに分かるような文章となっている。
【０１１８】
次は、プリンタ２００の処理について図６、図７を参照して説明を行う。
【０１１９】
図６、図７は、プリンタ２００の処理を示すフローチャートであり、図６（ａ）は用紙センサ２６１が用紙が格納されたことを検知した後のプリンタ２００の処理を示すフローチャートであり、図６（ｂ）はプリンタドライバ１２０より送られる印刷設定情報を受信した後の処理を示すフローチャートであり、図６（ｃ）は用紙差替待ちモード離脱処理を示すフローチャートであり、図７（ａ）はプリンタドライバ１２０よりキャンセル通知を受信した後の処理を示すフローチャートであり、図７（ｂ）はプリンタ２００内でタイムアウトカウンタが０になった場合の処理を示すフローチャートである。
【０１２０】
プリンタ２００において、給紙トレイ２６０に用紙がセットされると、用紙センサ２６１から送られる情報に基づき制御部２３０は給紙トレイ２６０に用紙が格納されたことを検知する。
【０１２１】
給紙トレイ２６０に用紙が格納されたことを検知した制御部２３０は、用紙差換待ちモードフラグ（後で詳しく説明するが、プリンタ２００がパーソナルコンピュータ１００から印刷設定情報を受信すると用紙差換待ちモードのフラグがｏｎにされる。）がｏｎになっているか否かを確認する（ステップ６０１）。
【０１２２】
用紙差換待ちモードフラグがｏｎになっていない場合には（ステップ６０１でＮＯ）、制御部２３０は、プリンタＵＩ２４０にユーザへの用紙サイズ入力要求を表示させる（ステップ６０２）。
【０１２３】
ユーザは、プリンタＵＩ２４０に、給紙トレイ２６０にセットした用紙の用紙サイズを入力する。
【０１２４】
ユーザより入力された用紙サイズをプリンタＵＩ２４０が受け付けると、次に、制御部２３０は、プリンタＵＩ２４０に、ユーザへの用紙種類入力要求を表示させる（ステップ６０３）。
【０１２５】
ユーザは、プリンタＵＩ２４０に、給紙トレイ２６０にセットした用紙の用紙種類を入力する。
【０１２６】
ユーザより入力された用紙サイズをプリンタＵＩ２４０が受け付けると、制御部２３０は、受け付けた用紙サイズと用紙種類との用紙属性を含んだ印刷設定情報としてトレイ設定情報２６２に保持させる（ステップ６０４）。
【０１２７】
このようにして、用紙サイズと用紙種類とを検出するセンサを具備しないプリンタ２００でも、用紙サイズと用紙種類との設定が行われる。
【０１２８】
次に、パーソナルコンピュータ１００のプリンタドライバ１２０から印刷設定情報が送られた場合のプリンタ２００の処理について図６（ｂ）を参照して説明する。
【０１２９】
パーソナルコンピュータ１００のプリンタドライバ１２０から送られた印刷設定情報を受信したプリンタ２００は、制御部２３０によって、用紙差換待ちモードフラグがｏｎにセットされる（ステップ６１１）。
【０１３０】
用紙差換待ちモードフラグは、プリンタ２００内の図示しない書き換え可能なメモリに記録される。
【０１３１】
用示差換待ちモードフラグがｏｎにされると、制御部２３０は、パーソナルコンピュータ１００から受信した印刷設定情報を、設定候補値として、図示しない書き換え可能なメモリに保存させる（ステップ６１２）。
【０１３２】
印刷設定情報が保存されると、制御部２３０は、予め決められた所定の時間を計測するタイムアウトカウンタをリセットして計測を開始させる（ステップ６１３）。
【０１３３】
タイムアウトカウンタは、時間が経過するごとに表示時間が減算して、所定の時間の計測を行う。
【０１３４】
このような図６（ｂ）に示すステップ６１１、ステップ６１２、ステップ６１３の処理によって、プリンタ２００は、用紙差換待ちモードに移行する。
【０１３５】
次に、プリンタ２００が用紙差換待ちモード時に、給紙トレイ２６０に用紙がセットされた場合の処理について、図６（ａ）を参照して説明する。
【０１３６】
ユーザは、プリンタ２００の給紙トレイ２６０に用紙をセットする。
【０１３７】
給紙トレイ２６０に用紙が格納されたことを検知した制御部２３０は、用紙差換待ちモードフラグがｏｎになっているか否かを確認する（ステップ６０１）。
【０１３８】
用紙差換待ちモードフラグがｏｎになっている場合には（ステップ６０１でＹＥＳ）、制御部２３０は、プリンタＵＩ２４０からの印刷設定情報の受け付けを行わず、図示しない書き換え可能なメモリに前もって保存される設定候補値を、印刷設定情報としてトレイ設定情報２６２に保持させる（ステップ６０５）。
【０１３９】
この処理によって、ユーザがパーソナルコンピュータ１００にて用紙セット説明画面（用紙セット説明画面（４４０）や用紙セット説明画面（５３０）等）を見たあとに、その説明に従って用紙を給紙トレイ２６０にセットしたときに、プリンタＵＩ２４０より用紙サイズや用紙種類の用紙属性を含んだ印刷設定情報を入力する必要が無くなる。
【０１４０】
また、この処理によって、用紙差替待ちモードフラグがｏｎになっている場合には、プリンタＵＩ２４０より入力される印刷設定情報に基づく印刷よりも、パーソナルコンピュータ１００から送られる印刷設定情報に基づく印刷が優先される。
【０１４１】
そして、制御部２３０は、用紙差換待ちモード離脱処理を行う（ステップ６０６）。
【０１４２】
ここで、用紙差換待ちモード離脱処理について図６（ｃ）を参照して説明する。
【０１４３】
用紙差換待ちモード離脱処理は、図６（ｃ）に示すように、制御部２３０が、タイムアウトカウンタをリセットして、予め決められた所定の時間の計測を開始させる（ステップ６２１）。
【０１４４】
ステップ６２１の後に、制御部２３０は、用紙差換待ちモードフラグのｏｎをリセットしてｏｆｆにする（ステップ６２２）。
【０１４５】
このステップ６２１とステップ６２２との処理によって、プリンタ２００は、用紙差換待ちモードから離脱して、通常モードに移行する。
【０１４６】
また、パーソナルコンピュータのステップ２１６の処理によってプリンタ２００にキャンセル通知が送られた場合、そのキャンセル通知を受信したプリンタ２００は、図７（ａ）に示すように、用紙差換待ちモード離脱処理（ステップ７０１）を行う。
【０１４７】
用紙差換待ちモード離脱処理（ステップ７０１）は、図６（ｃ）を参照して説明したステップ６２１とステップ６２２とで行われる用紙差換待ちモード離脱処理と同じ処理である。
【０１４８】
このステップ７０１の用紙差換待ちモード離脱処理により、パーソナルコンピュータ１００のプリンタドライバ１２０で簡易設定ウィザード１２４にて用紙セット説明画面が表示されたが、正常終了（ステップ２１４でＹＥＳ）していない場合には、用紙差換待ちモードから離脱して、通常モードに移行する。
【０１４９】
また、ステップ６１３やステップ６２１で制御部２３０によってリセットされるタイムアウトカウントが０になると、用紙差換待ちモード離脱処理（ステップ７１１）を行う。
【０１５０】
用紙差換待ちモード離脱処理（ステップ７１１）は、図６（ｃ）を参照して説明したステップ６２１とステップ６２２とで行われる用紙差換待ちモード離脱処理と同じ処理である。
【０１５１】
このステップ７１１の用紙差換待ちモード離脱処理により、パーソナルコンピュータ１００の簡易設定ウィザード１２４にて用紙セット説明画面が表示されて正常終了（ステップ２１４でＹＥＳ）した後に一定時間が経過すると、プリンタ２００は用紙差換待ちモードから離脱して、通常モードに移行する。
【０１５２】
また、パーソナルコンピュータ１００のプリンタドライバ１２０から、インタフェース２１０を通じてプリンタデータが送信されてきた場合には、レンダリング部２２０でレンダリングされ、印刷部２５０にて、給紙トレイ２６０から用紙を給紙し、描画部２７０にて用紙上に描画し、排出トレイ２８０に排出される。これによって、ユーザは所望した用紙に対しての印刷物を得る。
【０１５３】
尚、簡易設定ウィザード１２４では、設定画面１と設定画面２とのように、設定画面を２画面にしてそれぞれ一つずつの項目（用紙サイズと用紙種類）の設定ユーザインタフェースが配置されているように説明したが、設定画面は２画面に限定したものでないし、また、設定画面を一つにしてその画面に複数の設定ユーザインタフェースが配置されてもよい。
【０１５４】
尚、簡易設定ウィザード１２４で設定ユーザインタフェースを配置する項目は、ユーザによる簡易な設定を実現するために、ユーザが良く変更する項目に限って、数を少なくするのが望ましい。
【産業上の利用可能性】
【０１５５】
この発明は、画像形成システムおよび印刷指示端末において利用可能である。
【０１５６】
本発明の画像処理プログラムを通信手段で提供することはもちろん、ＣＤ−ＲＯＭ等の記録媒体に記録して提供することもできる。
【符号の説明】
【０１５７】
１    画像処理システム
１００    パーソナルコンピュータ
１２４    簡易設定ウィザード
１２５    設定情報保存メモリ
２００    プリンタ
２３０    制御部
２４０    プリンタＵＩ
２６０    給紙トレイ
２６１    用紙センサ
２６２    トレイ設定情報
【図１】
0005636702.tif 000002
【図２】
0005636702.tif 000003
【図３】
0005636702.tif 000004
【図４】
0005636702.tif 000005
【図５】
0005636702.tif 000006
【図６】
0005636702.tif 000007
【図７】
0005636702.tif 000008